(57)【特許請求の範囲】
【請求項１】
底板に種子落下孔を形成し、かつ種子を収容できる播種箱のその底板上をスライドできる繰出孔のある目皿を設け、播種箱の上方に設けた把手に、この把手と共に把握できる下向きに付勢された揺動自在なグリップを設け、該グリップには枢支点と作動ロッドを設け、作動ロッドの他端を目皿に接合して、グリップを把握することにより目皿が前後に移動して、種子落下孔と繰出孔が一致することにより種子が播種されることを特徴とする簡易播種器。
【発明の詳細な説明】
【０００１】
【産業上の利用分野】
本発明は簡易播種器に関するものである。
【０００２】
【従来の技術】
多数の種子を収容する箱形容器本体からなり、容器本体の底部に所定数宛の播種用種子を収容する種子収容孔を縦横に所定間隔で配置した播用種収容部と、この播用種収容部の下方において、種子収容孔と偏倚した位置に種子落下孔を穿設してなる種播き部とを配設し、播用種収容部と種播き部との間に播用種子分離板を摺動自在に装着し、さらにこの分離板の種播き部の種子落下孔と対応する位置に種子分離孔を夫々穿設した播種装置が実開昭６３−１２７３１０号公報で知られている。
又、特開平３−１１９９０号公報には種子が通過できる径の排出孔が設けられた固定板の上側に種子が入る繰出孔が設けられた移動板が配設され、移動板の繰出孔の下側が固定板に塞がれているときは繰出孔に入った種子が落下しないで、移動板が移動して繰出孔と固定板の排出孔とが重なり合って上下に連通したときは、種子が下側に落下するように設けられた播種装置において、移動板の上側に複数粒の種子が入る種子収容孔が設けられた種子収容板が配設され、種子収容板の種子収容孔は移動板の繰出孔が固定板に塞がれているときは繰出孔と連通し、繰出孔が固定板の排出孔と連通しているとき移動板に塞がれるように設けられた播種装置が示されている。
更に、特開平１−１８１７１２号公報には、上側の種子流板の下部に重合して、この種子流板に対して相対的にスライド可能な種子受板を設け、この種子流板には一定のピッチで隆起する突起条を設けると共に、この突起条と突起条との間に突起条の方向に一定ピッチで穿設される種子１粒が通過できる小さい種子通過小孔を設け、下部の種子受板には種子流板の種子通過小孔と同じピッチでその真下に種子通過大孔を穿設し、種子流板、あるいは種子受板をスライドして、上部の種子通過小孔と下部の種子通過大孔とが上下に合致する種子漏下状態と合致しないで、種子通過小孔に嵌入する種子が種子受板で受けられる非漏下状態とに切換可能に設けた播種器が示されている。
【０００３】
【発明が解決しようとする課題】
以上のものは何れもトレーのポット全体に一度に播種するもので、総体的に大きく簡単に持ち運べない。
そこで本発明は手軽に持ち運んで播種できる播種器をうることを目的とするものである。
【０００４】
【課題を解決するための手段】
本発明は以上のような目的を達成するために次のような簡易播種器を提供するものである。
すなわち、底板に種子落下孔を形成し、かつ種子を収容できる播種箱のその底板上をスライドできる繰出孔のある目皿を設け、播種箱の上方に設けた把手に、この把手と共に把握できる下向きに付勢された揺動自在なグリップを設け、該グリップには枢支点と作動ロッドを設け、作動ロッドの他端を目皿に接合して、グリップを把握することにより目皿が前後に移動して、種子落下孔と繰出孔が一致することにより種子が播種される簡易播種器である。
【０００５】
【作用】
把手をもって播種箱を播種せんとするトレイの１区割に当て、グリップを把手と共に握ることによって繰出孔のある目皿を移動せしめて目皿の繰出孔と、播種箱底板の落下孔との一致により種子をトレイの養土が供給されたポット上に播種する。
【０００６】
【実施例】
以下図面に示す実施例について説明する。
（１）は望ましくは後述するグリップを除き、透明部材で構成した播種箱であって、この底板（２）に種子落下孔（３）が一定間隔に穿設されている。底板（２）の一方には種子溜（４）が形成される。
望ましくは後述するグリップの前後方向に設けるとよい。
この種子溜（４）を形成するため、底板（２）は上方への凹み（５）を形成し、この部分に補強リブ（６）が穿設されている。
底板（２）の水平面上に繰出孔（７）のある皿目（８）がスライド自在に装置される。目皿のスライドにより繰出孔（７）と種子落下孔（３）とが一致することにより播種箱（１）内の種子はトレーに播種される。
【０００７】
播種箱（１）の中央上方には把手（９）が突設されており、図示のものでは、把手本体（９ａ）が前後の二叉脚（１０）（１１）で箱本体に対しビス（１２）（１３）で固定される。把手本体（９ａ）にはグリップ（１４）の基部がピン（１５）で枢支されて、枢支点となっている。グリップ（１４）の先端と把手本体（９ａ）との間にスプリング（１６）が張設されグリップ（１４）を下向きに付勢している。
グリップ（１４）の基部に近く作動ロッド（１７）が突設され作動ロッド（１７）他端の連結接手（１８）が目皿（８）の突起（１９）の穴に係合する。又作動ロッド（１７）はボルトナット（２０）でグリップ（１４）に取外し自在である。
【０００８】
本発明は以上の如く構成されているので把手（９）をもって播種箱（１）が持ち運び自在であり、トレイの所定位置において揺動して種子溜（８）中の種子を繰出孔（７）に装填する。この場合目皿の繰出孔（７）と播種箱（１）の種子落下孔（３）とは一致していないので種子は落下しない。次いで、播種箱（１）をトレイの１区割に当てがいグリップ（１４）をスプリング（１６）の力に抗して握るとピン（１５）を中心として矢印方向に揺動し、作動ロッド（１７）は傾斜位置から直立位置に移動して目皿（８）を移動せしめるので繰出孔（７）と種子落下孔（３）とが一致して種子がポットに播種される。なお、目皿（８）がスライドするときには播種箱（１）の左側板がストッパーとなる。
そしてグリップ（１４）を放せばスプリング（１６）によって目皿（８）は元の状態に復元する。そしてトレイの１区割の播種が終わると次に移動して同様に播種する。
【０００９】
目皿（８）は例えば２００穴用と１２８穴用の繰出孔（７）のあるものを用意し、作動ロッド（１７）に対し、ボルトナット（２０）を利用してつけ替えて使用することもできる。
図３はその目皿（８）を示すもので播種箱（１）の底板（２）には波線の固定の種子落下孔（３）が穿設されていて、これに対応して二点鎖線の２００穴が形成された目皿（８ａ）と実線の１２８穴が形成された目皿（８ｂ）とをつけ替えて使用するものである。
固定の落下孔（３）は１２８穴の目皿と２００穴の目皿とに共通に使用するため図３の角隅に形成された落下孔（３ａ）（３ｂ）（３ｃ）（３ｄ）は径大に形成され、この孔には１２８穴の種子と２００穴の種子とが共通して落下するようになっている。
【００１０】
本発明は請求項１に記載された簡易播種器を特徴とするものであるが、好ましい実施態様は底板に種子落下孔を形成し、かつ種子を収容する播種箱のその底板上をスライドできる繰出孔のある目皿を設け、播種箱に設けた把手にこの把手と共に把握できる下向きに付勢された揺動自在なグリップを設け、該グリップに目皿移動用の作動ロッドを設けたものにおいて目数の異なる繰出孔をもつ少なくとも２つ以上の目皿を前記作動ロッドにつけ替え自在に装置した簡易播種器であって、ポットの数が異なるトレイに共通に使用することができて播種器を複数設ける必要がなくて経費を節約できる。
又、前記した播種器においてグリップの前後方向に種子溜を設けた播種器によりトレイの隣接等が確認し易く、更に前記した播種器においてグリップを除き、播種箱を透明部材で構成した播種器により播種位置が確認し易い。
何れにしても本発明の精神の範囲内において任意に設計変更しうるものである。
【００１１】
【発明の効果】
本発明によれば、把手で播種箱を持ち運びでき、グリップを把手と共に握ることによって播種箱の底板に対して目皿を移動せしめて播種することができ、片手で目皿の摺動ができるという特徴がある。
【図面の簡単な説明】
【図１】本発明装置の正面説明図
【図２】同上の側面説明図
【図３】目数の異なる目皿の説明図
【符号の説明】
１    播種箱
２    底板
３    種子落下孔
４    種子溜
５    凹み
６    補強リブ
７    繰出孔
８    目皿
９    把手
１０    支脚
１１    支脚
１２    ビス
１３    ビス
１４    グリップ
１５    ピン
１６    スプリング
１７    作動ロッド
１８    連結接手
１９    突起
２０    ボルトナット
【図１】
0003621150.tif 000002
【図２】
0003621150.tif 000003
【図３】
0003621150.tif 000004